(57)【要約】【課題】集合住宅内の他の住戸で異常が発生した際に、住人が在宅しているか不在であるかを住戸外で報知するとともに、ドアホン子器の光源部を有効に活用する。【解決手段】インターホンシステム１は、住戸内に設置されるインターホン親機２と、住戸外に設置されるドアホン子器３と、複数戸の住戸を監視する警報監視盤５とを備える。ドアホン子器３は、カメラ３４１の撮像領域を照明する照明部３５１を有する。警報監視盤５は、各住戸で発生した異常を検知する異常検知部５２１と、異常が発生した住戸とは異なる他の住戸に設置されたインターホン親機２へ異常発生を通知する通知部５２２とを有する。インターホン親機２は、カメラ３４１で撮像された画像を表示する表示部２４２と、警報監視盤５から異常発生が通知されると、住人が在宅している場合と住人が不在である場合とで照明部３５１の点灯パターンを変更させる点灯制御部２５１とを有する。【選択図】図１
2013042389.tif 000002
【特許請求の範囲】
【請求項１】
集合住宅内の住戸ごとに住戸内に設置されるインターホン親機および住戸外に設置されるドアホン子器を備えるとともに、前記集合住宅内の複数戸の住戸を監視する警報監視盤とを備え、
前記ドアホン子器は、
前記住戸外の予め決められた領域内の人物を撮像する撮像部と、
前記撮像部による撮像時に前記領域を照明するように点灯する光源部とを有し、
前記警報監視盤は、
前記複数戸の住戸の少なくともいずれかで発生した異常を検知する異常検知部と、
前記異常が発生した住戸とは異なる他の住戸に設置された前記インターホン親機へ異常発生を通知する通知部とを有し、
前記インターホン親機は、
前記ドアホン子器の前記撮像部で撮像された画像を表示する表示部と、
前記警報監視盤から前記異常発生が通知されると、住人が在宅している場合と当該住人が不在である場合とで前記ドアホン子器の前記光源部の点灯パターンを変更させる点灯制御部とを有する
ことを特徴とするインターホンシステム。
【請求項２】
前記インターホン親機は、
前記住人が在宅している在宅モードおよび前記住人が不在である留守モードのいずれかを選択して設定するモード設定部を有し、
前記点灯制御部は、前記警報監視盤から前記異常発生が通知されると、前記在宅モードの場合と前記留守モードとの場合とで前記光源部の点灯パターンを変更させる
ことを特徴とする請求項１記載のインターホンシステム。
【発明の詳細な説明】
【技術分野】
【０００１】
本発明は、集合住宅に用いられるインターホンシステムに関する。
【背景技術】
【０００２】
近年、インターホンシステムの映像がカラー映像となってきたのに伴い、夜間でもカラー映像で来訪者の顔を判断したいという要望が高まっている（例えば特許文献１参照）。
【０００３】
ところが、カラー映像の場合、白色光を撮像領域に照射しなければ、撮像領域の照度が不足するため、鮮明なカラー映像を得ることができなかった。
【０００４】
そこで、カラー映像用のインターホンシステムでは、撮像領域を照明する照明部として可視光を発する光源部がドアホン子器に設けられるようになってきている。
【先行技術文献】
【特許文献】
【０００５】
【特許文献１】特開２００１−３０９３６２号公報
【発明の概要】
【発明が解決しようとする課題】
【０００６】
しかしながら、従来のカラー映像用のインターホンシステムでは、ドアホン子器の光源部（照明部）が、撮像時に撮像領域を照明するために用いられるだけであるため、上記光源部のさらなる有効活用が望まれていた。
【０００７】
また、従来のインターホンシステムは、来訪者が訪問した際に、住戸外の来訪者を住戸内の住人に知らせることができるが、集合住宅内の他の住戸で異常が発生した際に、住戸内に住人が在宅しているか不在であるかを住戸外の人に知らせることができなかった。各住戸において住人が在宅しているか不在であるかを表わす在宅情報は住人の行動によって随時変化するため、上記異常が発生した時点での在宅情報を住戸外の人に知らせる手段が求められている。
【０００８】
本発明は上記の点に鑑みて為され、本発明の目的は、集合住宅内の他の住戸で異常が発生した際に住人が在宅しているか不在であるかを住戸外で報知することができるとともにドアホン子器の光源部を有効に活用することができるインターホンシステムを提供することにある。
【課題を解決するための手段】
【０００９】
本発明のインターホンシステムは、集合住宅内の住戸ごとに住戸内に設置されるインターホン親機および住戸外に設置されるドアホン子器を備えるとともに、前記集合住宅内の複数戸の住戸を監視する警報監視盤とを備え、前記ドアホン子器は、前記住戸外の予め決められた領域内の人物を撮像する撮像部と、前記撮像部による撮像時に前記領域を照明するように点灯する光源部とを有し、前記警報監視盤は、前記複数戸の住戸の少なくともいずれかで発生した異常を検知する異常検知部と、前記異常が発生した住戸とは異なる他の住戸に設置された前記インターホン親機へ異常発生を通知する通知部とを有し、前記インターホン親機は、前記ドアホン子器の前記撮像部で撮像された画像を表示する表示部と、前記警報監視盤から前記異常発生が通知されると、住人が在宅している場合と当該住人が不在である場合とで前記ドアホン子器の前記光源部の点灯パターンを変更させる点灯制御部とを有することを特徴とする。
【００１０】
このインターホンシステムにおいて、前記インターホン親機は、前記住人が在宅している在宅モードおよび前記住人が不在である留守モードのいずれかを選択して設定するモード設定部を有し、前記点灯制御部は、前記警報監視盤から前記異常発生が通知されると、前記在宅モードの場合と前記留守モードとの場合とで前記光源部の点灯パターンを変更させることが好ましい。
【発明の効果】
【００１１】
本発明は、集合住宅内の他の住戸で異常が発生した際に、住人が在宅している場合と住人が不在である場合とで、住戸外のドアホン子器の光源部が点灯パターンを変えて点灯する。これにより、上記異常が発生した際に、住人が在宅しているか不在であるかを住戸外で報知することができる。その結果、例えば管理人、消防隊員など住戸外の人が、各住戸の住人が在宅しているか不在であるかを住戸外から知ることができ、上記異常に対して住戸外の人が迅速に対応することができる。また、本発明では、撮像時に撮像領域を照明する場合と、上記異常が発生した際に住人が在宅しているか不在であるかを報知する場合とで、ドアホン子器の光源部を共用することができるので、ドアホン子器の光源部を有効に活用することができる。
【図面の簡単な説明】
【００１２】
【図１】実施形態に係るインターホンシステムのブロック図である。
【図２】同上に係るインターホンシステムの構成図である。
【図３】同上に係るインターホンシステムの動作を示すフローチャートである。
【発明を実施するための形態】
【００１３】
以下の実施形態では、集合住宅に用いられるインターホンシステムについて説明する。集合住宅は、例えばマンションなど、複数戸の住戸と共同スペースとを含んでいる建物である。共同スペースとしては、例えば共同玄関前のロビーなどがある。
【００１４】
本実施形態に係るインターホンシステム１は、図２に示すように、集合住宅内の各住戸の住戸内に設置された複数台（図２では１台のみ図示）のインターホン親機２と、各住戸の住戸外に設置された複数台（図２では１台のみ図示）のドアホン子器３と、各住戸の住戸内に設置された複数台（図２では１台のみ図示）の感知器４とを備えている。ドアホン子器３が設置された住戸外としては、例えば住戸の玄関先などがある。また、本実施形態のインターホンシステム１は、集合住宅内の複数戸の住戸を監視する警報監視盤５と、集合住宅のロビーに設置されるロビーインターホン６とを備えている。本実施形態では、集合住宅内の住戸ごとにインターホン親機２とドアホン子器３と感知器４とが少なくとも１台ずつ設置されている。なお、住戸によっては、インターホン親機２、ドアホン子器３および感知器４の少なくともいずれかが２台以上設置されていてもよい。また、インターホン親機２、ドアホン子器３および感知器４は、集合住宅内の全ての住戸に設置されていなくてもよく、集合住宅内の少なくとも２以上の住戸に設置されていればよい。
【００１５】
このような本実施形態のインターホンシステム１は、いずれかの住戸でセキュリティ異常が発生した際に、他の住戸において、住人が在宅している場合と住人が不在である場合とで異なる点灯パターンで、ドアホン子器３の照明部３５１（図１参照）が点灯する。
【００１６】
本実施形態において、セキュリティ異常とは、例えば火災、地震、ガス漏れ、不審者の侵入など、緊急避難を要する異常をいう。
【００１７】
次に、本実施形態のインターホンシステム１を構成する各機器の構成について図１を用いて説明する。
【００１８】
まず、ドアホン子器３の構成について説明する。ドアホン子器３は、同じ住戸に設置されるインターホン親機２と通信する子器側通信部３１と、来訪者がドアホン子器３を操作するときに用いられる子器側操作部３２と、マイクロホン３３１およびスピーカ３３２と、音声信号を処理する通話部３３３とを備えている。また、ドアホン子器３は、来訪者を撮像するカメラ（撮像部）３４１と、映像信号を処理する映像部３４２と、カメラ３４１の撮像領域を照明する照明部（光源部）３５１と、照明部３５１を駆動する照明駆動部３５２とを備えている。さらに、ドアホン子器３は、ドアホン子器３の動作を制御する子器側制御部３６を備えている。ドアホン子器３は、２線式の通話線および２線式の制御線からなる通信線９１によってインターホン親機２に接続されている。
【００１９】
子器側通信部３１は、子器側制御部３６の指示に従ってインターホン親機２と通信する機能を有している。具体的には、子器側通信部３１は、後述の呼出釦３２１が操作された際に呼出信号をインターホン親機２へ送出する。また、子器側通信部３１は、通話部３３３からの音声信号と映像部３４２からの映像信号とを多重化してインターホン親機２へ送出する。
【００２０】
子器側操作部３２は、住戸外の来訪者が住戸内の住人を呼び出すために操作する呼出釦３２１を備えている。
【００２１】
通話部３３３は、マイクロホン３３１からの音声信号を増幅したり、インターホン親機２からの音声信号を増幅したりする。スピーカ３３２は、インターホン親機２からの音声信号に応じた音声を出力する。
【００２２】
カメラ３４１は、例えばＣＣＤ（Charge Coupled Device）イメージセンサ、ＣＭＯＳ（ComplementaryMetal Oxide Semiconductor）イメージセンサなどを用いたエリアセンサカメラであり、撮像領域内の来訪者を撮像する。カメラ３４１の撮像領域は、ドアホン子器３の設置場所の周辺であって、住戸外の予め決められた領域である。映像部３４２は、カメラ３４１で撮像された映像（画像）の映像信号を周波数変調する。
【００２３】
照明部３５１は、カメラ３４１による撮像時に撮像領域すなわち来訪者を照明するように点灯する。本実施形態の照明部３５１は、例えばＬＥＤ（Light Emitting Diode：発光ダイオード）などであり、撮像領域に可視光（白色光）を照射する。照明駆動部３５２は、子器側制御部３６の制御に応じた光出力で照明部３５１を点灯させる点灯回路を備えている。これにより、撮像領域の照度を十分に高めることができ、鮮明なカラー映像を得ることができる。
【００２４】
また、照明部３５１は、後述のようにセキュリティ異常が発生した際に、住人が在宅している場合と不在である場合とで異なるパターンで点灯する。
【００２５】
子器側制御部３６は、ＣＰＵ（Central Processing Unit：中央処理装置）を主構成要素とし、ドアホン子器３の動作を制御する。
【００２６】
具体的には、子器側制御部３６は、来訪者が呼出釦３２１を押操作した際に、子器側通信部３１が通信線９１の通話線の線間電圧を変化させるなどして呼出信号をインターホン親機２へ送出するように子器側通信部３１を制御する。
【００２７】
また、子器側制御部３６は、マイクロホン３３１からの音声信号がインターホン親機２へ送出されるように通話部３３３および子器側通信部３１を制御する。
【００２８】
さらに、子器側制御部３６は、呼出釦３２１が押操作されると、照明部３５１が撮像領域を照明するように照明駆動部３５２を制御するとともに、カメラ３４１が撮像を開始するように映像部３４２を制御する。カメラ３４１に撮像を開始させた子器側制御部３６は、映像信号がインターホン親機２へ送出されるように映像部３４２および子器側通信部３１を制御する。
【００２９】
続いて、感知器４の構成について説明する。感知器４は、例えば住戸内の火災を検知する火災感知器、住戸内のガス漏れを検知するガス警報器、住戸内への不審者の侵入を検知する防犯センサなどである。感知器４は、セキュリティ異常を検知するセンサ４１と、インターホン親機２と通信する感知器側通信部４２と、感知器４の動作を制御する感知器側制御部４３とを備えている。感知器４は、２線式の信号線９２によってインターホン親機２に接続されている。
【００３０】
センサ４１は、住戸内のセキュリティ異常を検知する。例えば感知器４が火災感知器である場合、センサ４１は、火災発生による熱および煙の少なくとも一方を検知する。
【００３１】
感知器側通信部４２は、信号線９２に方形波のパルス電圧を印加することで後述のセキュリティ信号および復帰信号をインターホン親機２へ送出する。
【００３２】
感知器側制御部４３は、センサ４１でセキュリティ異常が検知されると、感知器側通信部４２がセキュリティ異常信号をインターホン親機２へ送出するように感知器側通信部４２を制御する。一方、センサ４１がセキュリティ異常を検知しなくなってから一定時間が経過すると、感知器側制御部４３はセキュリティ異常なしと判断する。このとき、感知器側制御部４３は、感知器側通信部４２が復帰信号をインターホン親機２へ送出するように感知器側通信部４２を制御する。
【００３３】
続いて、インターホン親機２の構成について説明する。インターホン親機２は、ドアホン子器３、感知器４および警報監視盤５と通信するための親機側通信部２１と、住人がインターホン親機２を操作するときに用いられる親機側操作部２２と、マイクロホン２３１およびスピーカ２３２と、音声信号を処理する通話部２３３とを備えている。また、インターホン親機２は、映像信号を処理する映像部２４１と、映像部２４１で処理された映像信号に応じた映像を表示する表示部２４２と、インターホン親機２の動作を制御する親機側制御部２５とを備えている。インターホン親機２は、２線式の通話線および２線式の制御線からなる通信線９３によって警報監視盤５に接続されている。また、インターホン親機２は、通常、交流電源２６（図２参照）から電力供給され、停電などの場合、非常電源２７（図２参照）から電力供給される。
【００３４】
親機側通信部２１は、ドアホン子器３、感知器４および警報監視盤５と通信する機能と、警報監視盤５を介してロビーインターホン６と通信する機能とを有している。具体的には、親機側通信部２１は、感知器４からセキュリティ異常信号を受け取り、セキュリティ異常信号を警報監視盤５へ送出する。また、親機側通信部２１は、ドアホン子器３から多重化されて伝送されてくる音声信号と映像信号とを分離する。
【００３５】
親機側操作部２２は、操作釦２２１と、解錠釦２２２と、非常釦２２３とを備えている。解錠釦２２２は、共同玄関７の自動ドア７１（図２参照）を解錠させる場合に操作される。
【００３６】
スピーカ２３２は、来訪者がドアホン子器３の呼出釦３２１（またはロビーインターホン６の呼出釦６２２）を操作した際に、ドアホン子器３（またはロビーインターホン６）からの呼出を報知するための呼出音を出力する。また、親機側通信部２１が感知器４からセキュリティ異常信号を受け取ると、スピーカ２３２は、セキュリティ異常を住人に知らせるための警報音を出力する。この警報音はブザー音に限定されるものではなく、音声メッセージであってもよい。本実施形態のスピーカ２３２は、警報音として、ブザー音および音声メッセージの両方を出力する。
【００３７】
通話部２３３は、マイクロホン２３１からの音声信号（送話信号）の信号レベルとドアホン子器３（またはロビーインターホン６）からの音声信号（受話信号）の信号レベルとを比較し、信号レベルが低いほうの音声信号を減衰させることで通話方向を切り換える。すなわち、送話信号の信号レベルが受話信号の信号レベルより高い場合、通話部２３３は、通話方向をインターホン親機２からドアホン子器３（またはロビーインターホン６）への方向とする。反対に、受話信号の信号レベルが送話信号の信号レベルより高い場合、通話部２３３は、通話方向をドアホン子器３（またはロビーインターホン６）からインターホン親機２への方向とする。
【００３８】
通話方向がドアホン子器３（またはロビーインターホン６）からインターホン親機２への方向である場合、スピーカ２３２は、ドアホン子器３（またはロビーインターホン６）からの音声信号に応じた音声を出力する。
【００３９】
映像部２４１は、ドアホン子器３からの映像信号およびロビーインターホン６からの映像信号を周波数復調し、表示部２４２に出力する。表示部２４２は、例えば液晶ディスプレイ（Liquid Crystal Display：ＬＣＤ）、有機ＥＬ（Electro-Luminescence）ディスプレイ、ＣＲＴ（Cathode-Ray Tube）ディスプレイなどの映像表示用モニタである。表示部２４２は、映像部２４１からの映像信号に応じて、ドアホン子器３のカメラ３４１で撮像された映像、ロビーインターホン６のカメラ６４１で撮像された映像を表示する。これにより、住戸内の住人が住戸外の来訪者を確認することができる。また、親機側通信部２１が感知器４からセキュリティ異常信号を受け取ると、表示部２４２は、セキュリティ異常を住人に知らせるためのピクトグラムを表示する。
【００４０】
親機側制御部２５は、ＣＰＵを主構成要素とし、通信線（通話線）９１に直流電圧を印加してドアホン子器３への給電を行う。また、親機側通信部２１が感知器４からセキュリティ異常信号を受け取ると、親機側制御部２５は、警報音の出力およびピクトグラムの表示を実行する。一方、親機側通信部２１が感知器４から復帰信号を受け取ると、親機側制御部２５は、警報音の出力およびピクトグラムの表示を停止して通常状態に復帰する。さらに、親機側操作部２２の解錠釦２２２が操作されると、共同玄関７の自動ドア７１（図２参照）を解錠させるための解錠信号を親機側通信部２１がロビーインターホン６へ送出するように、親機側制御部２５は親機側通信部２１を制御する。
【００４１】
また、親機側制御部２５は、ドアホン子器３の照明部３５１の点灯パターンを制御する点灯制御部２５１を備えている。点灯制御部２５１は、他の住戸のセキュリティ異常発生が警報監視盤５から通知されると、住戸の住人が在宅している場合と住人が不在である場合とで、ドアホン子器３の照明部３５１の点灯パターンを変更させる。具体的には、他の住戸に関するセキュリティ異常信号を親機側通信部２１が警報監視盤５から受け取ると、点灯制御部２５１は、上述のようにドアホン子器３の照明部３５１の点灯パターンを変更させる。
【００４２】
ところで、本実施形態の親機側制御部２５は、住人が在宅しているか不在であるかに応じてモードを設定するモード設定部２５２をさらに備えている。モード設定部２５２は、住人の親機側操作部２２への操作に応じて、在宅モードおよび留守モードのいずれかを設定する。在宅モードは、住人が在宅している際に設定されるモードである。留守モードは、住人が不在である際に設定されるモードである。これにより、本実施形態の点灯制御部２５１は、警報監視盤５からセキュリティ異常発生が通知されると、モード設定部２５２で設定された設定モードが在宅モードの場合と留守モードとの場合とで、ドアホン子器３の照明部３５１の点灯パターンを変更させる。例えば、在宅モードが設定されている場合、点灯制御部２５１は、照明部３５１を点灯させたり、点滅させたりさせる。一方、留守モードが設定されている場合、点灯制御部２５１は、照明部３５１を不点灯にする。
【００４３】
また、本実施形態の親機側制御部２５は、表示許可設定部２５３をさらに備えている。表示許可設定部２５３は、住人の親機側操作部２２への操作に応じて、警報監視盤５からセキュリティ異常発生が通知された際の住戸外表示（ドアホン子器３の照明部３５１の点灯）を許可するか否かを設定する。住戸外表示が許可されている場合、点灯制御部２５１は、上述したように、在宅モードの場合と留守モードとの場合とで照明部３５１の点灯パターンを変更させる。一方、住戸外表示が許可されていない場合、在宅モードが設定されていても留守モードが設定されていても、点灯制御部２５１は、照明部３５１を不点灯にする。
【００４４】
続いて、警報監視盤５の構成について説明する。警報監視盤５は、集合住宅の管理人室などに設置され、ロビーインターホン６が接続されているとともに、分岐器８を介して各インターホン親機２が接続されている。警報監視盤５は、各住戸のインターホン親機２とロビーインターホン６との間のインターホン通話を制御するとともに、各住戸のセキュリティを監視している。このような警報監視盤５は、各インターホン親機２およびロビーインターホン６と通信する監視盤側通信部５１と、警報監視盤５の動作を制御する監視盤側制御部５２と、マイクロホン５３１およびスピーカ５３２と、音声信号を処理する通話部５３３と、管理人が警報監視盤５を操作するときに用いられる監視盤側操作部５４とを備えている。警報監視盤５は、２線式の通話線および２線式の制御線からなる通信線９４によってロビーインターホン６に接続されている。
【００４５】
監視盤側通信部５１は、監視盤側制御部５２の指示に従って各インターホン親機２およびロビーインターホン６と通信する機能を有している。具体的には、監視盤側通信部５１は、各インターホン親機２との間でセキュリティ異常信号および復帰信号を受け取ったり、送出したりする。また、監視盤側通信部５１は、各インターホン親機２とロビーインターホン６との間で呼出信号、音声信号、映像信号および解錠信号を中継する。
【００４６】
監視盤側制御部５２は、ＣＰＵを主構成要素とし、異常検知部５２１と通知部５２２とを備えている。
【００４７】
異常検知部５２１は、監視盤側通信部５１で取得されたセキュリティ異常信号を用いて、各住戸で発生したセキュリティ異常を検知する。
【００４８】
通知部５２２は、セキュリティ異常が発生した住戸とは異なる他の住戸に設置された全てのインターホン親機２へセキュリティ異常信号を送出するように監視盤側通信部５１を制御する。これにより、通知部５２２は、セキュリティ異常が発生した住戸とは異なる他の住戸に設置されたインターホン親機２へセキュリティ異常発生を通知することができる。
【００４９】
監視盤側操作部５４は、操作釦５４１を備えている。管理人が操作釦５４１を操作してインターホン親機２を指定すれば、警報監視盤５は、指定されたインターホン親機２とのみ通話することができる。
【００５０】
続いて、ロビーインターホン６の構成について説明する。ロビーインターホン６は、映像を撮像することができるカメラ付きのロビーインターホンである。ロビーインターホン６は、警報監視盤５および共同玄関７と通信するロビー側通信部６１と、来訪者がロビーインターホン６を操作するときに用いられるロビー側操作部６２と、マイクロホン６３１およびスピーカ６３２と、音声信号を処理する通話部６３３とを備えている。また、ロビーインターホン６は、来訪者を撮像するカメラ６４１と、映像信号を処理する映像部６４２と、ロビーインターホン６の動作を制御するロビー側制御部６５とを備えている。ロビーインターホン６は、警報監視盤５によって、各住戸のインターホン親機２との間のインターホン通話が制御される。
【００５１】
ロビー側通信部６１は、ロビー側制御部６５の指示に従ってインターホン親機２と通信する機能を有している。具体的には、ロビー側通信部６１は、後述の番号キー６２１および呼出釦６２２が操作された際に呼出信号をインターホン親機２へ送出する。また、ロビー側通信部６１は、通話部６３３からの音声信号と映像部６４２からの映像信号とを多重化して訪問先のインターホン親機２へ送出する。さらに、ロビー側通信部６１は、インターホン親機２から解錠信号を取得すると、解錠信号を共同玄関７へ送出する。
【００５２】
ロビー側操作部６２は、来訪者が住戸番号を指定するための番号キー６２１および呼出釦６２２を備えている。来訪者が番号キー６２１を操作して訪問先の住戸の住戸番号を指定した後に呼出釦６２２を操作することによって、住戸番号に対応する住戸のインターホン親機２が選択されたことになる。住戸において、操作釦２２１が操作されると、インターホン親機２とロビーインターホン６との間で通話が可能になり、解錠釦２２２が操作されると、親機側通信部２１が解錠信号をロビーインターホン６へ送出する。
【００５３】
通話部６３３は、マイクロホン６３１からの音声信号を増幅したり、インターホン親機２からの音声信号を増幅したりする。スピーカ６３２は、インターホン親機２からの音声信号に応じた音声を出力する。
【００５４】
カメラ６４１は、例えばＣＣＤイメージセンサ、ＣＭＯＳイメージセンサなどを用いたエリアセンサカメラであり、撮像領域内の来訪者を撮像する。カメラ６４１の撮像領域は、ロビーインターホン６の設置場所の周辺であって、予め決められた領域である。映像部６４２は、カメラ６４１で撮像された映像の映像信号を周波数変調する。
【００５５】
ロビー側制御部６５は、ＣＰＵを主構成要素とし、ロビーインターホン６の動作を制御する。具体的には、ロビー側制御部６５は、来訪者が番号キー６２１および呼出釦６２２を操作した際に、ロビー側通信部６１が呼出信号をインターホン親機２へ送出するようにロビー側通信部６１を制御する。また、ロビー側制御部６５は、マイクロホン６３１からの音声信号がインターホン親機２へ送出されるように通話部６３３およびロビー側通信部６１を制御する。さらに、ロビー側制御部６５は、カメラ６４１が撮像を開始するように映像部６４２を制御する。カメラ６４１に撮像を開始させたロビー側制御部６５は、映像信号が訪問先の住戸のインターホン親機２へ送出されるように映像部６４２およびロビー側通信部６１を制御する。
【００５６】
共同玄関７は、集合住宅の入口に設置された自動ドア７１（図２参照）の電気錠（図示せず）を駆動するドア駆動部７２と、ロビーインターホン６と通信する玄関側通信部７３と、共同玄関７の動作を制御する玄関側制御部７４とを備えている。玄関側通信部７３がロビーインターホン６から解錠信号を受け取ると、玄関側制御部７４は、自動ドア７１が解錠するようにドア駆動部７２を制御する。
【００５７】
次に、本実施形態に係るインターホンシステム１において、インターホン親機２とドアホン子器３との間の動作について説明する。まず、来訪者がドアホン子器３の呼出釦３２１を押操作すると、子器側通信部３１が呼出信号をインターホン親機２へ送出する。これとは別に、カメラ３４１および映像部３４２が起動し、子器側通信部３１が映像信号をインターホン親機２へ送出する。
【００５８】
インターホン親機２では、親機側通信部２１を介して親機側制御部２５がドアホン子器３から呼出信号を受け取り、親機側制御部２５が通話部２３３を制御してスピーカ２３２から呼出音を出力させる。このとき、呼出信号を受け取った親機側制御部２５は、ドアホン子器３からの映像信号を映像部２４１で周波数復調させて来訪者の映像を表示部２４２に表示させる。インターホン親機２における操作釦２２１を住戸内の住人が押操作し、親機側制御部２５が通話部２３３と通信線（通話線）９１との間に通話路が形成されると、インターホン親機２とドアホン子器３との間で通話が可能になる。
【００５９】
次に、本実施形態に係るインターホンシステム１において、感知器４がセキュリティ異常を検知した場合の動作について図３を用いて説明する。
【００６０】
まず、感知器４は、セキュリティ異常を検知すると、セキュリティ異常信号をインターホン親機２へ送出する。
【００６１】
インターホン親機２は、感知器４からセキュリティ異常信号を受け取ると（Ｓ１）、セキュリティ異常の警報音を鳴動し、セキュリティ異常のピクトグラムを表示する（Ｓ２）。これにより、感知器４でセキュリティ異常が検知された際に、インターホン親機２が警報音を出力し、ピクトグラムを表示することによって、住人にセキュリティ異常の発生を速やかに知らせることができる。
【００６２】
インターホン親機２は、セキュリティ異常信号を警報監視盤５へ転送する。警報監視盤５は、インターホン親機２からセキュリティ異常信号を受け取ると、セキュリティ異常が発生した住戸とは異なる他の住戸に設置された全てのインターホン親機２へセキュリティ異常信号を送出する。
【００６３】
他の住戸に設置されたインターホン親機２は、警報監視盤５からセキュリティ異常信号を受け取ると、親機側制御部２５は、設定モードが在宅モードであるか留守モードであるかによって、ドアホン子器３の照明部３５１の点灯パターンを変更させる。すなわち、他の住戸に設置されたインターホン親機２は、在宅モードを設定している場合（Ｓ３の「在宅モード」）、住戸外表示を許可していると（Ｓ４の「ＹＥＳ」）、ドアホン子器３の照明部３５１を点灯させる（または点滅させる）（Ｓ５）。ドアホン子器３では、インターホン親機２の指示に従って、照明部３５１が点灯する。
【００６４】
一方、インターホン親機２が留守モードを設定している場合（Ｓ３の「留守モード」）、または、インターホン親機２が住戸外表示を許可していない場合（Ｓ４の「ＮＯ」）、インターホン親機２は、ドアホン子器３の照明部３５１を不点灯にする（Ｓ６）。
【００６５】
以上の説明より、本実施形態のインターホンシステム１は、集合住宅内の他の住戸でセキュリティ異常が発生した際に、住人が在宅している場合と住人が不在である場合とで、住戸外のドアホン子器３の照明部（光源部）３５１が点灯パターンを変えて点灯する。これにより、上記異常が発生した際に、住人が在宅しているか不在であるかを住戸外で報知することができる。その結果、例えば管理人、消防隊員など住戸外の人が、各住戸の住人が在宅しているか不在であるかを住戸外から知ることができ、上記セキュリティ異常に対して住戸外の人が迅速に対応することができる。
【００６６】
また、本実施形態のインターホンシステム１では、撮像時に撮像領域を照明する場合と、上記異常が発生した際に住人が在宅しているか不在であるかを報知する場合とで、ドアホン子器３の照明部３５１を共用することができるので、ドアホン子器３の照明部３５１を有効に活用することができる。
【００６７】
特に、各住戸において住人が在宅しているか不在であるかを表わす在宅情報は、各住戸の住人の行動によって随時変化するため、インターホンシステム１に予め記憶させておくことができない情報である。このような在宅情報にもかかわらず、本実施形態のインターホンシステム１は、上記異常が発生した時点の在宅情報を住戸外で報知することができる。
【符号の説明】
【００６８】
１  インターホンシステム
２  インターホン親機
２４２  表示部
２５１  点灯制御部
２５２  モード設定部
３  ドアホン子器
３４１  カメラ（撮像部）
３５１  照明部（光源部）
５  警報監視盤
５２１  異常検知部
５２２  通知部
【図１】
2013042389.tif 000003
【図２】
2013042389.tif 000004
【図３】
2013042389.tif 000005